(57)【要約】【課題】特に習得される必要があるほどの難しい技術を要しなく、被結束部材に締結するのに簡単に使用できるにもかかわらず、難しい従来からの紐の結び方に劣らない結合強度を確保できる紐類の締結装置を提供する。【解決手段】鼓形に括れた短筒形の外枠と、それにやや前後動可能に嵌り後端部が大径となる同じく括れ形の中子とからなる組玉に、被結束部材に締結のため手回し得るように中子の前端に長く取り付けられる紐類付きであって、中子は、後端部が外枠の口から突出するとともに外枠の端面とでＶ溝となる鍔部を有し、また、外枠と中子との組合せの接合面に前後方向の紐通し孔を設けてあって、紐通し孔から引き出された紐類の紐先が前記Ｖ溝に巻き付けて保持され得るように構成した。【選択図】    図１
2020153398.tif 000002
【特許請求の範囲】
【請求項１】
鼓形に括れた短筒形の外枠と、それにやや前後動可能に嵌り後端部が大径となる同じく括れ形の中子とからなる組玉に、被結束部材に締結のため手回し得るように中子の前端に長く取り付けられる紐類付きであって、中子は、後端部が外枠の口から突出するとともに外枠の端面とでＶ溝となる鍔部を有し、また、外枠と中子との組合せの接合面に前後方向の紐通し孔を設けてあって、紐通し孔から引き出された紐類の紐先が前記Ｖ溝に巻き付けて保持され得るように構成したことを特徴とする紐類の締結装置。
【請求項２】
紐通し孔が、外枠の内周面に形成した凹溝からなることを特徴とする請求項1記載の紐類の締結装置。
【請求項３】
紐類先がＶ溝に巻き付けて保持されるように、鍔部に紐類先を食い込ませる切込みを設けたことを特徴とする請求項1又は2記載の紐類の締結装置。
【請求項４】
紐類の基端に結び玉を設けることによる紐類の取付け手段であって、取付け対象の中子の中心部に紐類の前後通し可能に筒抜けの貫通孔を設けるとともに、該孔内部に抜けを２分する形態で分割壁を設けるとともに後端部では欠如して形成し、分割壁の後端の欠如縁に紐類が嵌り結び玉が掛かる切欠きを設けたことを特徴とする請求項１，２または３記載の紐類の締結装置。
【発明の詳細な説明】
【技術分野】
【０００１】
この発明は、従来の難しい紐やロープの結び方に代わるものとして、縛る、束ねる等の作業が簡単かつ迅速にできるようにした紐類の締結装置に関する。
【背景技術】
【０００２】
建設現場や作業現場では、様々なものを紐やロープで縛る、束ねる、連結するなどの作業が欠かせないが、従来、その結び方は、被結束部材に紐類を回し掛け、紐の交差で輪を作って紐先を通す、というように複雑な紐の細工が作られるものであった。また、紐やロープ以外に他の道具が使用されるものではなく、紐やロープだけであっても絡む複雑な結びであった。
【０００３】
なお、結びの用途について、例えば、枝を縛る、束ねる、藁を縛る、束ねる等であった。
【発明の概要】
【発明が解決しようとする課題】
【０００４】
従来の紐やロープの結び方によれば、引く力が加わると却って結合が強化される巧な結び方であるが、手順を習得する難しさのために新規作業員の活用に適しないだけでなく、習得しても作業に時間がかかり能率的ではないという問題があった。また、細かな作業となるので、手袋の着用のままではできないため、寒さの時節でも素手が強いられることが多かった。しかしこれでは酷であるので、手袋の着用でも結束作業ができる簡単なものが求められていた。
【０００５】
この発明は、上記のような実状に鑑みて、特に習得される必要があるほどの難しい技術を要しなく、被結束部材に締結するのに簡単に使用できるにもかかわらず、難しい従来からの紐の結び方に劣らない結合強度を確保できる紐類の締結装置を提供することを課題とした。
【課題を解決するための手段】
【０００６】
上記の課題を解決するために、この発明は、鼓形に括れた短筒形の外枠と、それにやや前後動可能に嵌り後端部が大径となる同じく括れ形の中子とからなる組玉に、被結束部材に締結のため手回し得るように中子の前端に長く取り付けられる紐類付きであって、中子は、後端部が外枠の口から突出するとともに外枠の端面とでＶ溝となる鍔部を有し、また、外枠と中子との組合せの接合面に前後方向の紐通し孔を設けてあって、紐通し孔から引き出された紐類の紐先が前記Ｖ溝に巻き付けて保持され得るように構成したことを特徴とする紐類の締結装置を提供する。
【０００７】
紐類の締結装置を上記のように構成したから、これを使用するには、組玉から出ている紐類を被結束部材に手回し（1回又は数回）、反転して戻した紐先を組玉の紐通し孔に通してＶ溝に引き出しながら、紐先を強く引っ張り出す（矢印a）。そうすると、紐類で被結束部材を締め付けると同時に中子を前方へ（矢印ｃ）引き出し、これでＶ溝が閉まるので、同時に紐先を変えて引きながら（矢印b）、Ｖ溝に巻きつけて締め付ける。
【０００８】
これで結束の仕事が一つ完成する。後で結束が不要となって解体する場合はＶ溝で紐先を巻き戻してから紐類を通し孔から引き出す。
【発明の効果】
【０００９】
以上説明したように、この発明の紐類の締結装置によれば、結束作業や解体作業等に簡便に使用でき、これには特に習得するほどの難しい技術を要しなく、使用が簡単であるばかりでなく、Ｖ溝に巻かれる締め付けにより弛むことがないので、難しい紐の結び方に劣らない結合強度を確保でき、不慣れな者でも結束作業ができることから人手不足の解消に適するという優れた効果がある。
【図面の簡単な説明】
【００１０】
【図１】この発明を支柱部材に締結する場合について示す斜視図である。
【図２】図１に類する使用において垂れ幕を横に連結する場合を示す紐類の締結装置を示す平面図である。
【図３】図２のＡ-Ａ線矢視の拡大断面図である。
【図４】図３のＢ-Ｂ線矢視の断面図である。
【図５】Ｖ溝に紐類が巻き付けられる状態を示す一部拡大断面図である。
【図６】切込みを示す中子の正面図である。
【図７】結び目による紐類の取付け手段を示す組玉の断面図である。
【図８】同手段を結び玉の止め方において示す中子の断面図である。
【発明を実施するための形態】
【００１１】
この発明の紐類の締結装置は、切り枝や藁等を結束するのに多用でき、また、支柱部材に締結する場合に使用するほか（図１）、垂れ幕を横に連結する場合（図２）についても使用することができる。いずれも、この発明の紐類の締結装置Ｐは、枠体３に中子５を組み込んだ組玉１に被結束部材Ｍを締結する紐類２を取り付けたものである。図面では、被結束部材Ｍとして代表的にパイプ材からなる支柱を示す。そのほか、棒材、藁、切枝などの様々な束が対象となる。
【実施例１】
【００１２】
図１ないし図６は一実施例を示したもので、そのうち図１および図２はそれぞれ特殊な使用例を示す。紐類の締結装置Ｐは、大きさは限定するものではないが、例えて言えば握り可能な大きさの組玉１に紐類２が取り付けられている。また、組玉は、それぞれプラスチックで成形された外枠３とそれに嵌る中子５とからなる。そのうちの中子５の前端に紐類２が結着される。
【００１３】
外枠３は、取り扱いの基盤となるもので、短筒形ではあるが、括れ状に中間部が小径に形成される。内周面には、紐類２の通し溝が形成され、中子５との合体において紐通し孔７となる溝が複数において形成される。複数ではなく1条でもよい。いずれも溝は外枠３の両端面に入口１３、出口１４として開口する。図５に一点鎖線で示すように緩い螺進形状において紐の弛み止めとなるよう蛇行傾斜した紐通し孔７ａとすることもある。
【００１４】
これに対して、中子５は、端軸状ではあるが、これも括れ形であって、外枠３と少し前後する弛みで一体化している。なお、この弛みはＶ溝１１の開閉幅に影響する。中子５の後端部は、急激な膨出形状により鍔部９として形成され、鍔部９の内側斜面と外枠３の端面との間がＶ溝１１となっているからである。そして、通し孔７の出口１４がこのＶ溝１１内に開口しているので、ここから引き出した紐類２は、直ちに方向を変えて(a→b)Ｖ溝に巻きこませることができる。なお、紐類３の引きの力は、中子５を前進させる(ｃ)力として作用し、これでＶ溝１１が微小に締るために紐類２の巻き付け２ａは圧縮され固定される。
【００１５】
Ｖ溝１１に紐類２の巻付け２ａを保持するために、中子５の後端の鍔部９に紐類２を掛ける切込み１５が案内突起１７と合わせて設けられる。これで紐類２の弛みが確実に防止される。しかし解こうとすれば、それを容易に外すことができる。
【００１６】
図２は、被結束部材Mが支柱の場合（図１）の使用を発展させたもので、支柱間に垂れ幕１９，１９を配置し連結するために、紐類２を利用するものである。つまり、垂れ幕１９、１９の端に連結ループ２１，２１を設け、紐類２を両方の連結ループ２１，２１に通し交差により輪２３を作る。こうすれば、前記したように紐類２を支柱（Ｍ）に締め付けると交差による輪２３が閉じるので、ループ２１、２１が一体に結合し、これで左右垂れ幕１９，１９が連結される。
【００１７】
従来、ロープで支柱とループを縛っていたので、その作業が複雑であって、作業能率が得られなかったが、以上説明したように、本願の紐類の締結装置を有効に利用できた。
【実施例２】
【００１８】
図７および図８は、紐類２に結び玉２５を設けた場合における紐類の取付け手段に関する。図７は組玉１を示す断面図であって、前記実施例におけると同様に、外枠３に中子５が僅かに前後動を許容する範囲ではまっており、その動きでＶ溝１１がわずかに開閉するようになっている。なお、紐類２が開閉動作にも関与している。
【００１９】
紐類２は、中子５の中心部に取り付けられるよう、その中心部に貫通孔２７が設けられるとともに、それが二つ分けするように分割壁２９が形成される。この分けられたいずれかの分割通り２７aに紐類２を通すことになる。しかし、後端では分割壁２９が欠如し、分割壁２９の端に紐類２が掛かる幅の切欠き３１が設けられているので、紐類２の結び玉２５を貫通孔２７の片側に窮屈に嵌る抜けがたい状態に掛け止めることができる。こうして、紐類２が貫通孔２７の前端口から引き出される安定した取付け状態が得られる。また、紐類２の取付けが容易で迅速になしうる。
【符号の説明】
【００２０】
Ｐ  紐類の締結装置
Ｍ  被結束部材
１  組玉
２  紐類
３  外枠
５  中子
７、７ａ  紐通し孔
９  鍔部
１１  Ｖ溝
１３，１４  開口
１５  切込み
１７  案内突片
１９  垂れ幕
２１  ループ
２３  連結輪
【図１】
2020153398.tif 000003
【図２】
2020153398.tif 000004
【図３】
2020153398.tif 000005
【図４】
2020153398.tif 000006
【図５】
2020153398.tif 000007
【図６】
2020153398.tif 000008
【図７】
2020153398.tif 000009
【図８】
2020153398.tif 000010